(57)【要約】【解決手段】上部フレーム１と底部２とはね上げ側壁３と上部分割側壁４’と下部分割側壁４”とを有するとともに、少なくとも一方のはね上げ側壁に形成された開口部３’に扉部材Ｄが配設されている折り畳みコンテナーにおいて、扉部材のロック部材収容空間部内を上下動するロック部材５が、第１案内摺動手段ｄ８、５ｉ及び第２案内手段ｄ７、５ｋにより案内されるように構成したものである。【効果】ロック部材の水平位置からの傾斜を阻止することができ、従って、ロック部材の係止ブロックが、はね上げ側壁に形成されている係止枠部材から、不用意に排出されるようなことを防止することができ、ひいては、不用意に、扉部材が手前に回動し、はね上げ側壁の開口部が開放されるようなことを防止することができる。【選択図】図１８
2008001368.tif 000002
【特許請求の範囲】
【請求項１】
上部フレームと底部とはね上げ側壁と上部分割側壁と下部分割側壁とを有するとともに、少なくとも一方のはね上げ側壁に形成された開口部に扉部材が配設されている折り畳みコンテナーにおいて、扉部材のロック部材収容空間部内を上下動するロック部材が、第１案内摺動手段及び第２案内手段により案内されるように構成されていることを特徴とする折り畳みコンテナー。
【請求項２】
ロック部材を、ロック部材の係止ブロックが、扉部材のロック部材収容空間部内に位置する端部ガイドリブに当接しないように、ロック部材を弓なり状に湾曲変形するとともに、扉部材の前面から、扉部材のロック部材収容空間部内に配置し、その後、ロック部材を上動させることにより、ロック部材が、扉部材に組み付けられるように構成されていることを特徴とする請求項１に記載の折り畳みコンテナー。
【発明の詳細な説明】
【技術分野】
【０００１】
本発明は、種々の物品の保管、輸送或いは搬送等に使用される折り畳みコンテナーに関するものである。
【背景技術】
【０００２】
従来、額縁状の上部フレームと底部との間に配設される４枚の側壁のうち、一方の相対する長側壁を、上部分割側壁と下部分割側壁とにより構成するとともに、上部フレームの長辺部と上部分割側壁の上端部、上部分割側壁の下端部と下部分割側壁の上端部及び下部分割側壁の下端部と底部の長辺部とが、それぞれ、ヒンジ連結されており、また、もう一方の相対するはね上げ側壁と称される短側壁の上端部を、上部フレームの短辺部にヒンジ連結し、はね上げ側壁が、上方に回動可能に構成された折り畳みコンテナーが知られている。箱型に組み立てられた折り畳みコンテナーは、上部フレームにその上端部が枢着されたはね上げ側壁を、略垂直状態から、折り畳みコンテナーの内部方向に、略水平状態まで回動させ、次いで、長側壁を構成する上部分割側壁と下部分割側壁とを、上部分割側壁と下部分割側壁とを連結しているヒンジ連結部で折り畳むことにより、箱型に組み立てられた折り畳みコンテナーを、高さの低いコンパクトな状態に折り畳むことができるように構成されている。
【０００３】
上述した箱型に組み立てられた折り畳みコンテナーに収納されている物品を取り出したり、或いは、箱型に組み立てられた折り畳みコンテナーに物品を収納するために、少なくとも一方のはね上げ側壁に開口部を形成するとともに、開口部が形成されたはね上げ側壁に、ロック部材を有する扉部材を配設した折り畳みコンテナーが、一例として、特許文献１に開示されている。
【０００４】
そして、ロック部材を操作して、ロック部材の先端に形成された係止部を、はね上げ側壁の開口部を形成する左右枠に形成された係合凹部に係合させることにより、ロック部材をロック状態とし、また、ロック部材の先端に形成された係止部を、はね上げ側壁の開口部を形成する左右枠に形成された係合凹部から排出させることにより、ロック部材によるロック状態を解除するように構成されている。
【０００５】
【特許文献１】特開平７−２５７５７１号公報
【発明の開示】
【発明が解決しようとする課題】
【０００６】
上述した従来の折り畳みコンテナーにおいては、ロック部材の部品数が多く、また、その構造も複雑であるために、折り畳みコンテナーへのロック部材の組み付けに、時間と熟練とを要するという問題があった。
【０００７】
また、ロック部材を操作して、ロック部材の先端に形成された係止部を、はね上げ側壁の開口部を形成する左右枠に形成された係合凹部に係合させることにより、ロック部材をロック状態とし、また、ロック部材の先端に形成された係止部を、はね上げ側壁の開口部を形成する左右枠に形成された係合凹部から排出させることにより、ロック部材によるロック状態を解除するように構成されているが、ロック部材の操作の際に、ロック部材が傾斜しながら移動し、ロック部材の係止部とはね上げ側壁の左右枠に形成された係合凹部との係合が確実に行われず、不用意にロック状態が解除されて、扉部材が回動するという問題があった。
【０００８】
本発明の目的は、上述した従来の折り畳みコンテナーが有する課題を解決することにある。
【課題を解決するための手段】
【０００９】
本発明は、上述した目的を達成するために、上部フレームと底部とはね上げ側壁と上部分割側壁と下部分割側壁とを有するとともに、少なくとも一方のはね上げ側壁に形成された開口部に扉部材が配設されている折り畳みコンテナーにおいて、第１には、扉部材のロック部材収容空間部内を上下動するロック部材が、第１案内摺動手段及び第２案内手段により案内されるように構成したものであり、第２には、ロック部材を、ロック部材の係止ブロックが、扉部材のロック部材収容空間部内に位置する端部ガイドリブに当接しないように、ロック部材を弓なり状に湾曲変形するとともに、扉部材の前面から、扉部材のロック部材収容空間部内に配置し、その後、ロック部材を上動させることにより、ロック部材を、扉部材に組み付けるようにしたものである。
【発明の効果】
【００１０】
扉部材のロック部材収容空間部内を上下動するロック部材が、第１案内摺動手段及び第２案内手段により案内されるように構成したので、ロック部材の水平位置からの傾斜を阻止することができ、従って、ロック部材の係止ブロックが、はね上げ側壁に形成されている係止枠部材から、不用意に排出されるようなことを防止することができ、ひいては、不用意に、扉部材が手前に回動し、はね上げ側壁の開口部が開放されるようなことを防止することができる。
【００１１】
ロック部材を、ロック部材の係止ブロックが、扉部材のロック部材収容空間部内に位置する端部ガイドリブに当接しないように、ロック部材を弓なり状に湾曲変形するとともに、扉部材の前面から、扉部材のロック部材収容空間部内に配置し、その後、ロック部材を上動させることにより、ロック部材を、扉部材に組み付けるようにしたので、ロック部材の扉部材への組み付けを確実に、且つ、正確に行うことができるとともに、ロック部材の扉部材への組み付け作業の作業性が向上する。
【発明を実施するための最良の形態】
【００１２】
以下に、本発明の実施例について説明するが、本発明の趣旨を越えない限り何ら、本実施例に限定されるものではない。
【００１３】
先ず最初に、本発明の折り畳みコンテナーの斜視図である図１を用いて全体構成について説明する。
【００１４】
折り畳みコンテナーは、上部フレーム１と、底部２と、上部フレーム１の相対する短辺部１ａに、その上端部が枢支された、折り畳みコンテナーの内側方向に回動可能に構成された側壁（以下、この側壁を「はね上げ側壁」という。）３と、上部フレーム１の相対する長辺部１ｂ側に配設された、上下に分割されているとともに互いにヒンジ連結された上部分割側壁４’と下部分割側壁４”とを有している。上部分割側壁４’の上端部は、上部フレーム１の長辺部１ｂにヒンジ連結されており、また、上部分割側壁４’の下端部と下部分割側壁４”の上端部とは、ヒンジ連結されており、更に、下部分割側壁４”の下端部と底部２の長辺部２ａとは、ヒンジ連結されている。
【００１５】
箱型に組み立てられた折り畳みコンテナーに収納されている物品を取り出したり、或いは、箱型に組み立てられた折り畳みコンテナーに物品を収納するために、少なくとも一方のはね上げ側壁３に開口部を形成するとともに、はね上げ側壁３に、開口部を開閉する後述する扉部材Ｄを配設し、また、はね上げ側壁３の開口部を形成する下部枠３ａと扉部材Ｄの下端部を２軸構造等のヒンジで連結するとともに、扉部材Ｄの上部に、後述するロック部材５を配設し、ロック部材５のロック状態を解除しない限り、扉部材Ｄは前方に倒されて、はね上げ側壁３に形成された開口部が開放されないように構成されている。
【００１６】
図１に示されているように、箱型に組み立てられた折り畳みコンテナーの略垂直状のはね上げ側壁３を、折り畳みコンテナーの内部方向に回動させて、図３に示されているように、略水平状態とし、次いで、上部分割側壁４’と下部分割側壁４”を連結しているヒンジ部を、折り畳みコンテナーの内部方向に移動させて、上部分割側壁４’と下部分割側壁４”とを、それぞれ、重ねることにより、箱型に組み立てられている折り畳みコンテナーを、高さの低いコンパクトな状態に折り畳むことができるように構成されている。
【００１７】
次に、主として、図４〜図８を用いて、扉部材Ｄが配設されているはね上げ側壁３について説明する。なお、本実施例においては、相対するはね上げ側壁３のうち、一方のはね上げ側壁３にのみに扉部材Ｄが配設されている例が示されているので、以下において、単に、はね上げ側壁３という場合には、扉部材Ｄが配設されているはね上げ側壁３を指すものとする。
【００１８】
はね上げ側壁３は、略方形状の開口部３’が穿設された額縁状に形成されており、はね上げ側壁３は、下部枠３ａと、上部枠３ｂと、下部枠３ａと上部枠３ｂの両端を連結する相対する側枠３ｃとを有している。また、上部枠３ｂの下面で、且つ、はね上げ側壁３の裏面（箱型に組み立てられた折り畳みコンテナーの内部側に位置する面）付近、及び、相対する側枠３ｃの対向面で、且つ、はね上げ側壁３の裏面付近には、正面形状が、略Ｕ字状の台座３ｄが形成されている。台座３ｄは、上部枠３ｂに沿った水平部３ｄ１と相対する側枠３ｃに沿った垂直部３ｄ２とを有している。なお、必要に応じて、下部枠３ａに沿って、水平部３ｄ１と同様の水平部を形成することにより、台座３ｄを略口字状に形成することもできる。
【００１９】
はね上げ側壁３の上部枠３ｂと相対する側枠３ｃとの隅部に位置する台座３ｄには、補強枠３ｅが形成されている。補強枠３ｅは、一端が側枠３ｃに連結されているとともに、上部枠３ｂに略平行な水平板部３ｅ１と、水平板部３ｅ１の他端から、上部枠３ｂの中央部方向に向かって上方に傾斜しているとともに、上部枠３ｂに連結されている傾斜板部３ｅ２とから形成されている。
【００２０】
また、はね上げ側壁３に形成されている台座３ｄの相対する垂直部３ｄ２の外面（箱型に組み立てられた折り畳みコンテナーの外部側に位置する面）の中央部付近には、嵌合ブロック部材３ｆが形成されている。嵌合ブロック部材３ｆは、はね上げ側壁３の側枠３ｃに略垂直で、側枠３ｃにその一端が連結されている連結リブ３ｆ１と、連結リブ３ｆ１の他端に、その略中央部が連結されているとともに、側枠３ｃに沿って延在するブロック状の嵌合部３ｆ２とから構成されており、連結リブ３ｆ１の高さ（台座３ｄの垂直部３ｄ２の外面からの距離）は、嵌合部３ｆ２の高さ（台座３ｄの垂直部３ｄ２の外面からの距離）より低く構成されている。
【００２１】
更に、はね上げ側壁３に形成されている台座３ｄの垂直部３ｄ２と側枠３ｃとの隅部には、係止枠部材３ｇが形成されている。係止枠部材３ｇは、台座３ｄの垂直部３ｄ２と側枠３ｃに連結された板状の水平部３ｇ１と水平部３ｇ１の先端部付近から下方に垂設された板状の垂直部３ｇ２とから構成されており、係止枠部材３ｇには、側枠３ｃの側面、係止枠部材３ｇを構成する水平部３ｇ１と垂直部３ｇ２及び台座３ｄの垂直部３ｄ２とにより形成される、下方とはね上げ側壁３の中央部方向が開放された係止凹部３ｇ３が形成されている。また、垂直部３ｇ２の外面下端部には、上方から下方に向かって、台座３ｄの垂直部３ｄ２に傾斜したガイド傾斜面３ｇ２’が形成されている。
【００２２】
更にまた、上述した係止枠部材３ｇの上方に位置する台座３ｄの相対する垂直部３ｄ２の外面には、嵌合突部３ｈが形成されている。
【００２３】
なお更に、はね上げ側壁３の相対する側枠３ｃには、台座３ｄに略垂直な帯状の最外垂直リブ３ｃ１が形成されているとともに、最外垂直リブ３ｃ１に隣接して、且つ、最外垂直リブ３ｃ１に平行に帯状の内側垂直リブ３ｃ２が形成されている。また、最外垂直リブ３ｃ１と内側垂直リブ３ｃ２とは、所定の間隔を置いて形成された水平区画リブ３ｃ３により区画されており、最外垂直リブ３ｃ１と内側垂直リブ３ｃ２と水平区画リブ３ｃ３とにより、少なくとも、外側に開口部を有する区画室３ｃ４が形成されている。
【００２４】
上部分割側壁４’の内面（箱型に組み立てられた折り畳みコンテナーの内部側に位置する面）の下部或いは中央部付近で、且つ、両端垂直面４ａ’付近には、上部分割側壁４’の内面に略垂直な垂直部６ａ’と、垂直部６ａ’の先端から、垂直部６ａ’に垂直で、且つ、上部分割側壁４’の中央部方向に延在する挿入部６ｂ’とからなる上部挿入部材６’が形成されている。同様に、下部分割側壁４”の内面（箱型に組み立てられた折り畳みコンテナーの内部側に位置する面）の上部或いは中央部付近で、且つ、両端垂直面４ａ”付近には、下部分割側壁４”の内面に略垂直な垂直部６ａ”と、垂直部６ａ”の先端から、垂直部６ａ”に垂直で、且つ、下部分割側壁４”の中央部方向に延在する挿入部６ｂ”とからなる下部挿入部材６”が形成されている。
【００２５】
上述したはね上げ側壁３の相対する側枠３ｃに形成された区画室３ｃ４のうち、折り畳みコンテナーが箱型に組み立てられた状態において、上部分割側壁４’に形成されている上部挿入部材６’付近に位置する区画室３ｃ４には、上部挿入部材６’の挿入部６ｂ’が挿入されるように構成されており、同様に、下部分割側壁４”に形成されている下部挿入部材６”付近に位置する区画室３ｃ４には、下部挿入部材６”の挿入部６ｂ”が挿入されるように構成されている。このように構成することにより、箱型に組み立てられた折り畳みコンテナーの上部分割側壁４’や下部分割側壁４”に、収納された物品等により、内側から負荷が加わった際に、上部分割側壁４’や下部分割側壁４”が、外側に膨出するようなことを防止することができる。なお、上部挿入部材６’の挿入部６ｂ’が挿入される区画室を、上部挿入部材用区画室と称し、図５に示されているように、符号３ｃ４’が付されており、同様に、下部挿入部材６”の挿入部６ｂ”が挿入される区画室を、下部挿入部材用区画室と称し、図５に示されているように、符号３ｃ４”が付されている。
【００２６】
次に、主として、図６及び図９〜図１１を用いて、扉部材Ｄについて説明する。
【００２７】
扉部材Ｄは、略方形状の板状部ｄ１と、板状部ｄ１の周辺に、板状部ｄ１に略垂直で、且つ、板状部ｄ１の外面（箱型に組み立てられた折り畳みコンテナーの外部側に位置する面）ｄ１ａに立設された周壁ｄ２とを有している。周壁ｄ２は、上端水平部ｄ２ａと下端水平部ｄ２ｂと相対する端部垂直部ｄ２ｃとから形成されている。また、上端水平部ｄ２ａの下方に位置する板状部ｄ１の外面ｄ１ａには、上端水平部ｄ２ａと所定の間隔を置いて、第１上部水平リブｄ３が、相対する端部垂直部ｄ２ｃを連結するように立設されており、更に、第１上部水平リブｄ３の下方に位置する板状部ｄ１の外面ｄ１ａには、第１上部水平リブｄ３と所定の間隔を置いて、第２上部水平リブｄ４が、相対する端部垂直部ｄ２ｃを連結するように立設されており、更にまた、下端水平部ｄ２ｂの上方に位置する板状部ｄ１の外面ｄ１ａには、下端水平部ｄ２ｂと所定の間隔を置いて、下部水平リブｄ５が、相対する端部垂直部ｄ２ｃを連結するように立設されている。なお更に、相対する端部垂直部ｄ２ｃ付近に位置する板状部ｄ１の外面ｄ１ａには、端部垂直部ｄ２ｃと所定の間隔を置いて、端部側垂直リブｄ６が、第２上部水平リブｄ４と下部水平リブｄ５を連結するように立設されている。
【００２８】
扉部材Ｄの板状部ｄ１には、板状部ｄ１の外面ｄ１ａと上述した第１上部水平リブｄ３と第２上部水平リブｄ４と周壁ｄ２の相対する端部垂直部ｄ２ｃとにより囲まれた、後述するロック部材５が収容される前方が開放されたロック部材収容空間部Ａ１が形成されている。
【００２９】
ロック部材収容空間部Ａ１内に位置する板状部ｄ１の外面ｄ１ａには、板状部ｄ１の垂直中心線Ｌ１、換言すれば、扉部材Ｄの垂直中心線Ｌ１を挟んで、線対称位置に、内側垂直ガイドリブｄ７が立設されており、内側垂直ガイドリブｄ７の下端は、第２上部水平リブｄ４に連接されているとともに、その上端ｄ７ａと第１上部水平リブｄ３との間には、所定の間隙が形成されている。
【００３０】
また、ロック部材収容空間部Ａ１内に位置する板状部ｄ１の外面ｄ１ａで、且つ、内側垂直ガイドリブｄ７より、周壁ｄ２の端部垂直部ｄ２ｃ側に位置する板状部ｄ１の外面ｄ１ａには、板状部ｄ１の垂直中心線Ｌ１を挟んで、線対称位置に、外側垂直ガイドリブｄ８が立設されている。外側垂直ガイドリブｄ８の下端は、第２上部水平リブｄ４に連接されているとともに、その上端ｄ８ａと第１上部水平リブｄ３との間には、所定の間隙が形成されている。また、外側垂直ガイドリブｄ８の高さ（第２上部水平リブｄ４の上面から外側垂直ガイドリブｄ８の上端ｄ８ａまでの距離）Ｈ１は、内側垂直ガイドリブｄ７の高さ（第２上部水平リブｄ４の上面から内側垂直ガイドリブｄ７の上端ｄ７ａまでの距離）Ｈ２より、所定高さだけ、低く形成されているとともに、外側垂直ガイドリブｄ８の奥行幅（板状部ｄ１の外面ｄ１ａから外側垂直ガイドリブｄ８の垂直端ｄ８ｂまでの距離）Ｗ１は、内側垂直ガイドリブｄ７の奥行幅（板状部ｄ１の外面ｄ１ａから内側垂直ガイドリブｄ７の垂直端ｄ７ｂまでの距離）Ｗ２より、所定幅だけ、広く形成されている。
【００３１】
更に、相対する内側垂直ガイドリブｄ７の対向面の上部には、係合フックｄ９が形成されている。係合フックｄ９は、内側垂直ガイドリブｄ７の対向面に当接された垂直部ｄ９ａと、垂直部ｄ９ａの先端から、垂直部ｄ９ａに垂直で、且つ、板状部ｄ１の垂直中心線Ｌ１方向に延在するフック部ｄ９ｂとから構成されている。
【００３２】
周壁ｄ２の端部垂直部ｄ２ｃ付近には、第１上部水平リブｄ３と第２上部水平リブｄ４とを連結するとともに、板状部ｄ１の外面ｄ１ａと所定の間隙をおいて、適当数の垂直な端部ガイドリブｄ１０が形成されている。なお、本実施例には、２本の端部ガイドリブｄ１０が形成されている例が示されている。
【００３３】
上述した端部ガイドリブｄ１０の外側で、且つ、第１上部水平リブｄ３と第２上部水平リブｄ４との間に位置する板状部ｄ１を切除することにより、ロック部材収容空間部Ａ１内に位置する板状部ｄ１の両端部には、切り欠き部ｄ１１が形成されている。
【００３４】
また、ロック部材収容空間部Ａ１内に位置する周壁ｄ２の端部垂直部ｄ２ｃを水平方向に切断することにより、上部水平切断端面ｄ１２が形成されており、また、上部水平切断端面ｄ１２の下方に位置する端部垂直部ｄ２ｃを、その先端から板状部ｄ１の外面ｄ１ａに向かって、所定の長さ切断することにより、下部水平切断端面ｄ１３が形成されており、更に、下部水平切断端面ｄ１３の板状部ｄ１の外面ｄ１ａ側には、周壁ｄ２の端部垂直部ｄ２ｃを、第２上部水平リブｄ４に達するまで切除することにより、角部切り欠き部ｄ１４が形成されている。更にまた、上部水平切断端面ｄ１２の下端には、端部ガイドリブｄ１０に達する上部水平短リブｄ１５が形成されているとともに、同様に、下部水平切断端面ｄ１３の上端には、端部ガイドリブｄ１０に達する下部水平短リブｄ１６が形成されている。そして、上部水平短リブｄ１５と一番外側に位置する端部ガイドリブｄ１０と下部水平短リブｄ１６とにより、凹部ｄ１７が形成されている。
【００３５】
扉部材Ｄを構成する周壁ｄ２の上端水平部ｄ２ａの両端部付近には、周壁ｄ２の端部垂直部ｄ２ｃ方向に向かって下方に傾斜した傾斜板部ｄ１８ａと、傾斜板部ｄ１８ａの端部から端部垂直部ｄ２ｃまで延在する水平板部ｄ１８ｂとからなる嵌合段差部ｄ１８が形成されている。
【００３６】
扉部材Ｄを構成する周壁ｄ２の端部垂直部ｄ２ｃと端部側垂直リブｄ６との間に位置する板状部ｄ１を、その内面（箱型に組み立てられた折り畳みコンテナーの内部側に位置する面）ｄ１ｂから外面ｄ１ａ方向に膨出させることにより、図１０や図１１等に示されているように、上述したはね上げ側壁３に形成された嵌合ブロック部材３ｆが嵌合される嵌合ブロック部材用嵌合凹部ｄ１９が形成されている。嵌合ブロック部材用嵌合凹部ｄ１９は、嵌合ブロック部材３ｆの嵌合部３ｆ２が収納可能な深さを有する主凹部ｄ１９ａと、端部垂直部ｄ２ｃの板状部ｄ１の内面ｄ１ｂ側を溝状に切除することにより形成された嵌合ブロック部材３ｆの連結リブ３ｆ１が嵌合可能なスリット部ｄ１９ｂとから構成されており、スリット部ｄ１９ｂは、主凹部ｄ１９ａに連通されているとともに、端部垂直部ｄ２ｃの外側面ｄ２ｃ’まで達している。
【００３７】
また、上述した扉部材Ｄを構成する周壁ｄ２の上端水平部ｄ２ａの両端部付近に形成された嵌合段差部ｄ１８と上部水平短リブｄ１５との間に位置する板状部ｄ１を、その内面ｄ１ｂから外面ｄ１ａ方向に膨出させることにより、図１０等に示されているように、はね上げ側壁３に形成された嵌合突部３ｈが嵌合可能な嵌合突部用嵌合凹部ｄ２０が形成されている。
【００３８】
なお、図９等において、ｄ２１は、必要に応じて、扉部材Ｄに形成されたロック部材収容空間部Ａ１内に位置する板状部ｄ１の外面ｄ１ａに突設されたロック部材用ストッパーであり、扉部材Ｄのロック部材収容空間部Ａ１に配設されたロック部材５が、必要以上に、下降するのを防止する機能を有するものである。本実施例においては、外側垂直ガイドリブｄ８より、周壁ｄ２の端部垂直部ｄ２ｃ側で、且つ、第２上部水平リブｄ４寄りに、所定の間隔を置いて、２個のロック部材用ストッパーｄ２１が形成されている。
【００３９】
次に、図１２及び図１３を用いて、ロック部材５について説明する。
【００４０】
ロック部材５は、横長の本体部５Ａを有しており、本体部５Ａは、横長板状部５ａを有しており、横長板状部５ａの上辺には、横長板状部５ａに対して略垂直な上部フランジ５ｂが形成されており、上部フランジ５ｂは、中央領域に位置し、大部分を占める水平帯状部５ｂ１と、該水平帯状部５ｂ１の両端から下方に傾斜する傾斜部５ｂ２と、該傾斜部５ｂ２の下端に連接された水平段差部５ｂ３とから形成されている。また、横長板状部５ａの下辺には、横長板状部５ａに対して略垂直な下部フランジ５ｃが形成されており、下部フランジ５ｃは、中央領域に位置する下部水平帯状部５ｃ１と、該下部水平帯状部５ｃ１の先端から上方に延在する内側垂直部５ｃ２と、該内側垂直部５ｃ２の上端から水平方向に延在する上部水平帯状部５ｃ３と、該上部水平帯状部５ｃ３の先端から下方に延在する外側垂直部５ｃ４と、該外側垂直部５ｃ４の下端から水平方向に延在する端部水平部５ｃ５とから形成されている。また、上部フランジ５ｂを形成する水平段差部５ｂ３の先端と下部フランジ５ｃを形成する端部水平部５ｃ５の先端とは、垂直端壁部５ｄにより連結されており、垂直端壁部５ｄには、上述したはね上げ側壁３に形成された係止枠部材３ｇの係止凹部３ｇ３に出入り可能な係止ブロック５ｅが、垂直端壁部５ｄに対して略垂直に突設されている。
【００４１】
ロック部材５の下部フランジ５ｃを構成する上部水平帯状部５ｃ３の裏面には、それぞれ、根元部５ｆ１に対して先端部５ｆ２が、ロック部材５の中央部方向に位置する弾性片５ｆが形成されている。弾性片５ｆが略水平状態に弾性変形した際には、弾性片５ｆの全体が、下部フランジ５ｃを構成する上部水平帯状部５ｃ３と内側垂直部５ｃ２と外側垂直部５ｃ４とにより形成される凹部５ｇ内に収容されるように構成されている。このように構成することにより、弾性片５ｆが略水平状態に弾性変形した際に、弾性片５ｆの先端部５ｆ２が、下部水平帯状部５ｃ１の下面に当接して折り曲がり、損傷するようなことを防止することができる。
【００４２】
また、横長板状部５ａの略中央領域を、凹ますことにより、作業者の指が挿入可能な操作用凹部５ｈが形成されている。更に、操作用凹部５ｈの両側に位置する下部水平帯状部５ｃ１に、横長板状部５ａに垂直で、且つ、横長板状部５ａまで、或いは、横長板状部５ａ付近まで達するスリット５ｉ１を形成するとともに、スリット５ｉ１を挟むように、下部水平帯状部５ｃ１から上部フランジ５ｂを形成する水平帯状部５ｂ１まで延在する互いに平行な垂直壁部５ｉ２を形成することにより、上述した扉部材Ｄのロック部材収容空間部Ａ１内に形成された外側垂直ガイドリブｄ８が挿入可能な外側垂直ガイドリブ用縦長ガイド凹溝５ｉが形成されている。
【００４３】
また、操作用凹部５ｈを形成する相対する側壁５ｈ１の係止ブロック５ｅ側には、操作用凹部５ｈの側壁５ｈ１と、該側壁５ｈ１と対向する側壁５ｊ１と、操作用凹部５ｈの側壁５ｈ１から側壁５ｊ１方向に延在するが、側壁５ｊ１まで達しないような底板５ｊ２と、奥壁５ｊ３とからなる凹部５ｊが形成されている。また、底板５ｊ２の側壁５ｊ１側先端と側壁５ｊ１との間には、上述した扉部材Ｄのロック部材収容空間部Ａ１内に形成された内側垂直ガイドリブｄ７が挿入可能な内側垂直ガイドリブ用スリット５ｋが形成されている。更に、操作用凹部５ｈの側壁５ｈ１の係止ブロック５ｅ側には、操作用凹部５ｈの奥壁５ｈ２を、凹部５ｊの側壁５ｊ１方向に延在することにより、側壁５ｈ１と略同じ高さの縦長係止片５ｍが形成されている。
【００４４】
更に、ロック部材５の少なくとも水平段差部５ｂ３の一部や係止ブロック５ｅの全体は、扉部材Ｄのロック部材収容空間部Ａ１内に位置する板状部ｄ１の外面ｄ１ａと端部ガイドリブｄ１０との間に形成された間隙に挿入されるように構成されているとともに、ロック部材５の係止ブロック５ｅが、ロック部材収容空間部Ａ１内に位置する板状部ｄ１の両端部を切り欠くことにより形成された切り欠き部ｄ１１内に位置するように構成されている。
【００４５】
なお、横長板状部５ａと上部フランジ５ｂと下部フランジ５ｃと垂直端壁部５ｄで囲まれた空間部には、適宜、垂直補強リブ５ｎや水平補強リブ５ｐを形成することができる。
【００４６】
上述した構成を有するロック部材５は、射出成形等により、合成樹脂で一体成形されており、操作用凹部５ｈを挟んで、操作用凹部５ｈから係止ブロック５ｅまでの部分が、全体として、弓なり状態に弾性変形可能に構成されている。
【００４７】
次に、図１４〜図１８を用いて、扉部材Ｄへのロック部材５の組み付けについて説明する。
【００４８】
先ず最初に、図１４に示されているように、ロック部材５を、扉部材Ｄのロック部材収容空間部Ａ１の前面に、扉部材Ｄの垂直中心線Ｌ１とロック部材５の垂直中心線Ｌ２とが略一致するように配置する。このように、ロック部材５を、扉部材Ｄのロック部材収容空間部Ａ１の前面に配置することにより、扉部材Ｄのロック部材収容空間部Ａ１内に形成された外側垂直ガイドリブｄ８の前面に、ロック部材５の外側垂直ガイドリブ用縦長ガイド凹溝５ｉが位置し、また、扉部材Ｄのロック部材収容空間部Ａ１内に形成された内側垂直ガイドリブｄ７の前面に、ロック部材５の内側垂直ガイドリブ用スリット５ｋが位置するように構成されている。
【００４９】
上述した状態のまま、ロック部材５を、扉部材Ｄのロック部材収容空間部Ａ１に接近させると、ロック部材５の両端部が、扉部材Ｄのロック部材収容空間部Ａ１内に位置する端部ガイドリブｄ１０に当接することになるので、図１５に示されているように、ロック部材５を、その弾性力に抗して、ロック部材５の係止ブロック５ｅが、扉部材Ｄに接近するように、ロック部材５全体を弓なり状に湾曲変形させて、ロック部材５の係止ブロック５ｅが、扉部材Ｄのロック部材収容空間部Ａ１内に位置する端部ガイドリブｄ１０に当接しないようにする。この状態のまま、ロック部材５を、更に、扉部材Ｄのロック部材収容空間部Ａ１に接近させると、ロック部材５の係止ブロック５ｅは、扉部材Ｄのロック部材収容空間部Ａ１内に位置する端部ガイドリブｄ１０に当接することなく、ロック部材収容空間部Ａ１内に位置することになる。なお、下部フランジ５ｃを構成する上部水平帯状部５ｃ３の裏面に形成されている弾性片５ｆが、扉部材Ｄの第２上部水平リブｄ４に当接しないように、弾性片５ｆの先端部５ｆ２を、横長の本体部５Ａに近づけておく。
【００５０】
上述した状態から、ロック部材５の弓なり状の湾曲変形を解除すると、ロック部材５は、その弾性復元力により、直線状に復帰しようとし、ロック部材５の係止ブロック５ｅ等の先端部が、扉部材Ｄのロック部材収容空間部Ａ１内に位置する板状部ｄ１の外面ｄ１ａと端部ガイドリブｄ１０との間に形成された間隙に挿入される。そして、ロック部材５の係止ブロック５ｅ等の先端部が、扉部材Ｄのロック部材収容空間部Ａ１内に位置する板状部ｄ１の外面ｄ１ａと端部ガイドリブｄ１０との間に形成された間隙に挿入された際には、扉部材Ｄのロック部材収容空間部Ａ１内に形成された外側垂直ガイドリブｄ８が、ロック部材５の外側垂直ガイドリブ用縦長ガイド凹溝５ｉに挿入されないように、即ち、扉部材Ｄのロック部材収容空間部Ａ１内に形成された外側垂直ガイドリブｄ８に、ロック部材５の外側垂直ガイドリブ用縦長ガイド凹溝５ｉの天部に位置する下部水平帯状部５ｃ１が当接するように、ロック部材５を、扉部材Ｄの第２上部水平リブｄ４に接近させて配置する。また、この状態においては、扉部材Ｄのロック部材収容空間部Ａ１内に形成された内側垂直ガイドリブｄ７の前面に、ロック部材５の内側垂直ガイドリブ用スリット５ｋが位置するとともに、ロック部材５の縦長係止片５ｍの上端が、扉部材Ｄのロック部材収容空間部Ａ１内に形成された内側垂直ガイドリブｄ７の上部に形成された係合フックｄ９のフック部ｄ９ｂの下端より下方に位置するように構成されている。
【００５１】
上述した状態から、ロック部材５を上昇させると、扉部材Ｄのロック部材収容空間部Ａ１内に形成された外側垂直ガイドリブｄ８に当接していた、ロック部材５の外側垂直ガイドリブ用縦長ガイド凹溝５ｉの天部に位置する下部水平帯状部５ｃ１が、外側垂直ガイドリブｄ８の上端ｄ８ａから外れて、図１８に示されているように、外側垂直ガイドリブｄ８が、外側垂直ガイドリブ用縦長ガイド凹溝５ｉに挿入される。このように、外側垂直ガイドリブｄ８が、外側垂直ガイドリブ用縦長ガイド凹溝５ｉに挿入されると略同時に、外側垂直ガイドリブｄ８に、外側垂直ガイドリブ用縦長ガイド凹溝５ｉの天部に位置する下部水平帯状部５ｃ１が当接していたために、依然として、弓なり状に湾曲変形していたロック部材５が、その弾性復元力により、元の直線状態に復帰するとともに、扉部材Ｄの板状部ｄ１の外面ｄ１ａと、該外面ｄ１ａと対向するロック部材５の面、換言すれば、ロック部材５の裏面が、板状部ｄ１の外面ｄ１ａに、より接近し、図１８に示されているように、ロック部材５の内側垂直ガイドリブ用スリット５ｋに、扉部材Ｄのロック部材収容空間部Ａ１内に形成された内側垂直ガイドリブｄ７が挿入されるように構成されている。この状態においては、上述したように、扉部材Ｄのロック部材収容空間部Ａ１内に形成されている係合フックｄ９のフック部ｄ９ｂの下端より下方に位置していたロック部材５の縦長係止片５ｍの上端が、より係合フックｄ９のフック部ｄ９ｂの下端に接近することになるが、依然として、縦長係止片５ｍが、係合フックｄ９のフック部ｄ９ｂに当接しないように構成されている。
【００５２】
上述した状態から、更に、ロック部材５を上昇させると、図１８に示されているように、扉部材Ｄのロック部材収容空間部Ａ１内に形成された内側垂直ガイドリブｄ７の上部に形成された係合フックｄ９のフック部ｄ９ｂが、ロック部材５の縦長係止片５ｍに係合されることになる。即ち、係合フックｄ９のフック部ｄ９ｂが、縦長係止片５ｍと操作用凹部５ｈを形成する側壁５ｈ１と凹部５ｊを形成する奥壁５ｊ３とにより形成される凹部５ｑに挿入されることになる。
【００５３】
上述したようにして、ロック部材５が、扉部材Ｄのロック部材収容空間部Ａ１内に組み付けられることになるが、ロック部材収容空間部Ａ１内に配設されたロック部材５は、作業者が、操作用凹部５ｈに指を入れて下降させない限り、ロック部材５の係止ブロック５ｅは、扉部材Ｄの上部水平短リブｄ１５と一番外側に位置する端部ガイドリブｄ１０と下部水平短リブｄ１６とにより形成された凹部ｄ１７の背後に位置するとともに、はね上げ側壁３の開口部３’が、図１や図２に示されているように、扉部材Ｄにより閉じられた際には、ロック部材５の係止ブロック５ｅが、図１９に示されているように、はね上げ側壁３に形成されている係止枠部材３ｇの係止凹部３ｇ３に挿入されるように構成されている。従って、箱型に組み立てられた折り畳みコンテナーの内側から、扉部材Ｄに負荷が加わって、扉部材Ｄが、はね上げ側壁３の下部枠３ａと扉部材Ｄの下端部とのヒンジ部を中心に、外側に回動しようとしても、ロック部材５の係止ブロック５ｅが、係止枠部材３ｇの垂直部３ｇ２に当接し、扉部材Ｄの前方への回動が阻止されることになる。なお、はね上げ側壁３の開口部３’が、図１や図２に示されているように、扉部材Ｄにより閉じられた際には、扉部材Ｄは、はね上げ側壁３と対向する内周面が、はね上げ側壁３に形成された台座３ｄに当接或いは接近して位置するように構成されているので、扉部材Ｄに外側から負荷が加わっても、扉部材Ｄが、箱型に組み立てられた折り畳みコンテナーの内側方向に回動するようなことがないように構成されている。
【００５４】
また、はね上げ側壁３の開口部３’が、図１や図２に示されているように、扉部材Ｄにより閉じられ、ロック部材５の係止ブロック５ｅが、はね上げ側壁３に形成されている係止枠部材３ｇの係止凹部３ｇ３に挿入された状態、即ち、扉部材Ｄが、ロック部材５により、はね上げ側壁３にロックされている状態から、図１６に示されているように、ロック部材５を下降させると、下部フランジ５ｃを構成する上部水平帯状部５ｃ３の裏面に形成されている弾性片５ｆが、弾性片５ｆの弾性力に抗して、その先端部５ｆ２が、横長の本体部５Ａに接近するように変形するとともに、ロック部材５の係止ブロック５ｅが、はね上げ側壁３に形成されている係止枠部材３ｇの垂直部３ｇ２の下端より下方に位置することになる。換言すれば、ロック部材５の係止ブロック５ｅが、はね上げ側壁３に形成されている係止枠部材３ｇの係止凹部３ｇ３から排出されることになる。このように、扉部材Ｄに配設されたロック部材５とはね上げ側壁３に形成された係止枠部材３ｇとのロック状態が解除された後、扉部材Ｄを手前に回動させることにより、図４に示されているように、はね上げ側壁３の開口部３’を開放することができる。なお、ロック部材５を下降させた際に、扉部材Ｄに配設されたロック部材５とはね上げ側壁３に形成された係止枠部材３ｇとのロック状態が解除された時点より、不必要に、ロック部材５が下降しないように、ロック部材５の横長の本体部５Ａが、扉部材Ｄのロック部材収容空間部Ａ１内に位置する板状部ｄ１の外面ｄ１ａに突設されたロック部材用ストッパーｄ２１に当接し、それ以上の下降が阻止されるように構成されている。また、作業者が、操作用凹部５ｈから指を外すことにより、ロック部材５は、弾性片５ｆの弾性復元力により、上動するように構成されている。
【００５５】
上述したように、扉部材Ｄとはね上げ側壁３とをロック状態とするため、或いは、扉部材Ｄとはね上げ側壁３とのロック状態を解除するために、扉部材Ｄのロック部材収容空間部Ａ１内に配設されたロック部材５を上下動させる際には、ロック部材５は、扉部材Ｄのロック部材収容空間部Ａ１内に形成された一対の外側垂直ガイドリブｄ８が、ロック部材５に形成された一対の外側垂直ガイドリブ用縦長ガイド凹溝５ｉに、それぞれ挿入されることにより構成される第１案内手段により案内されながら上下動するとともに、扉部材Ｄのロック部材収容空間部Ａ１内に形成された一対の内側垂直ガイドリブｄ７が、ロック部材５に形成された一対の内側垂直ガイドリブ用スリット５ｋに、それぞれ挿入されることにより構成される第２案内手段により案内されながら上下動するように構成されている。このように、扉部材Ｄのロック部材収容空間部Ａ１内を上下動するロック部材５は、第１案内摺動手段及び第２案内手段により案内されるように構成されているので、ロック部材５が傾斜しながら上下動するようなことを防止することがき、従って、ロック部材５の円滑な上下動操作を実現することができる。
【００５６】
また、扉部材Ｄのロック部材収容空間部Ａ１内を上下動するロック部材５は、第１案内摺動手段及び第２案内手段により案内されるように構成されているので、ロック部材５の水平位置からの傾斜を阻止することができ、従って、ロック部材５の係止ブロック５ｅが、はね上げ側壁３に形成されている係止枠部材３ｇの係止凹部３ｇ３から、不用意に排出されるようなことを防止することができ、ひいては、不用意に、扉部材Ｄが手前に回動し、はね上げ側壁３の開口部３’が開放されるようなことを防止することができる。
【００５７】
また、扉部材Ｄへのロック部材５の組み付けに際しては、上述したように、ロック部材５を、ロック部材５の係止ブロック５ｅが、扉部材Ｄのロック部材収容空間部Ａ１内に位置する端部ガイドリブｄ１０に当接しないように、ロック部材５を弓なり状に湾曲変形するとともに、扉部材Ｄの前面から、扉部材Ｄのロック部材収容空間部Ａ１内に配置し、その後、ロック部材５を上動させるだけで、組み付けることができるので、ロック部材５の扉部材Ｄへの組み付けを確実に、且つ、正確に行うことができるとともに、ロック部材５の扉部材Ｄへの組み付け作業の作業性が向上する。
【００５８】
また、折り畳みコンテナーが箱型に組み立てられ、はね上げ側壁３の開口部３’が、扉部材Ｄにより閉鎖された状態においては、はね上げ側壁３に形成されている台座３ｄの相対する垂直部３ｄ２の外面の中央部付近に形成されている嵌合ブロック部材３ｆの嵌合部３ｆ２が、扉部材Ｄの板状部ｄ１に形成された嵌合ブロック部材用嵌合凹部ｄ１９の主凹部ｄ１９ａに嵌合されるように構成されているので、上部分割側壁４’や下部分割側壁４”に、折り畳みコンテナーの内側より負荷が加わり、上部分割側壁４’や下部分割側壁４”が外側に湾曲変形し、この湾曲変形に引っ張られて、はね上げ側壁３の開口部３’を形成する相対する側枠３ｃが互いに離反する方向に湾曲変形しようとしても、その変形が阻止されることになり、従って、開口部３’が形成され、強度や剛性が低下しているはね上げ側壁３が損傷するようなことを防止することができるとともに、ロック部材５の係止ブロック５ｅが、はね上げ側壁３に形成されている係止枠部材３ｇの係止凹部３ｇ３から、不用意に排出されるようなことを防止することができ、ひいては、不用意に、扉部材Ｄが手前に回動し、はね上げ側壁３の開口部３’が開放されるようなことを防止することができる。
【００５９】
更に、折り畳みコンテナーが箱型に組み立てられ、はね上げ側壁３の開口部３’が、扉部材Ｄにより閉鎖された状態においては、はね上げ側壁３の台座３ｄの相対する垂直部３ｄ２の上方に突設されている嵌合突部３ｈが、扉部材Ｄの板状部ｄ１に形成された嵌合突部用嵌合凹部ｄ２０に嵌合されるように構成されているので、はね上げ側壁３の開口部３’を閉鎖している扉部材Ｄの上下方向や左右方向への移動を抑制することができるので、ロック部材５の係止ブロック５ｅが、はね上げ側壁３に形成されている係止枠部材３ｇの係止凹部３ｇ３から、不用意に排出されるようなことを防止することができ、ひいては、不用意に、扉部材Ｄが手前に回動し、はね上げ側壁３の開口部３’が開放されるようなことを防止することができとともに、はね上げ側壁３と扉部材Ｄとのヒンジ部の損傷を防止することができる。
【００６０】
図６〜図９に示されているように、はね上げ側壁３の上部枠３ｂと相対する側枠３ｃとの隅部に位置する台座３ｄに、水平板部３ｅ１と傾斜板部３ｅ２とを有する補強枠３ｅが形成されているとともに、扉部材Ｄを構成する周壁ｄ２の上端水平部ｄ２ａの両端部付近に、傾斜板部ｄ１８ａと水平板部ｄ１８ｂとを有する嵌合段差部ｄ１８が形成されており、折り畳みコンテナーが箱型に組み立てられ、はね上げ側壁３の開口部３’が、扉部材Ｄにより閉鎖された状態においては、図２０に示されているように、はね上げ側壁３に形成されている補強枠３ｅの水平板部３ｅ１と扉部材Ｄに形成されている嵌合段差部ｄ１８の水平板部ｄ１８ｂとが接近して対峙するとともに、はね上げ側壁３に形成されている補強枠３ｅの傾斜板部３ｅ２と扉部材Ｄに形成されている嵌合段差部ｄ１８の傾斜板部ｄ１８ａとが接近して対峙するように構成されている。
【００６１】
箱型に組み立てられた折り畳みコンテナーの上部フレーム１に、上方から負荷が加わり、上部フレーム１が下方に変形する場合があるが、上部フレーム１の短辺部１ａに、上述したような下部枠３ａ、上部枠３ｂ及び相対する側枠３ｃから額縁状に形成されたはね上げ側壁３がヒンジ連結されている場合には、強度や剛性が低い、開口部３’を有するはね上げ側壁３が、上部フレーム１の変形により、損傷するという問題があったが、上述したように、はね上げ側壁３に形成されている補強枠３ｅの水平板部３ｅ１と扉部材Ｄに形成されている嵌合段差部ｄ１８の水平板部ｄ１８ｂとが接近して対峙するとともに、はね上げ側壁３に形成されている補強枠３ｅの傾斜板部３ｅ２と扉部材Ｄに形成されている嵌合段差部ｄ１８の傾斜板部ｄ１８ａとが接近して対峙するように構成することにより、上部フレーム１の変形に起因するはね上げ側壁３の変形、特に、はね上げ側壁３の上部枠３ｂの変形を、はね上げ側壁３に形成されている補強枠３ｅと扉部材Ｄに形成されている嵌合段差部ｄ１８との接触により負担することができるので、従って、開口部３’を有するはね上げ側壁３の損傷を防止することができる。
【図面の簡単な説明】
【００６２】
【図１】図１は、本発明の折り畳みコンテナーの箱型に組み立てられた状態の斜視図である。
【図２】図２は、図１に示されている本発明の折り畳みコンテナーの部分拡大斜視図である。
【図３】図３は、本発明の折り畳みコンテナーのはね上げ側壁が回動された状態の部分拡大斜視図である。
【図４】図４は、本発明の折り畳みコンテナーの扉部材が開けられた状態の部分拡大斜視図である。
【図５】図５は、本発明の折り畳みコンテナーの部分拡大斜視図である。
【図６】図６は、本発明の折り畳みコンテナーを構成する開口部を有するはね上げ側壁と扉部材の分解斜視図である。
【図７】図７は、本発明の折り畳みコンテナーを構成する開口部を有するはね上げ側壁の正面図である。
【図８】図８は、本発明の折り畳みコンテナーを構成する開口部を有するはね上げ側壁の部分拡大斜視図である。
【図９】図９は、本発明の折り畳みコンテナーを構成する扉部材の部分拡大斜視図である。
【図１０】図１０は、同じく本発明の折り畳みコンテナーを構成する扉部材の部分拡大斜視図である。
【図１１】図１１は、本発明の折り畳みコンテナーを構成するはね上げ側壁と扉部材の係合状態を示す部分拡大斜視図である。
【図１２】図１２は、本発明の折り畳みコンテナーを構成する扉部材に配設されるロック部材の斜視図である。
【図１３】図１３は、同じく本発明の折り畳みコンテナーを構成する扉部材に配設されるロック部材の斜視図である。
【図１４】図１４は、本発明の折り畳みコンテナーを構成する扉部材とロック部材の分解斜視図である。
【図１５】図１５は、図１４の部分拡大斜視図である。
【図１６】図１６は、ロック部材が配設された状態の本発明の折り畳みコンテナーを構成する扉部材の斜視図である。
【図１７】図１７は、同じくロック部材が配設された状態の本発明の折り畳みコンテナーを構成する扉部材の斜視図である。
【図１８】図１８は、同じくロック部材が配設された状態の本発明の折り畳みコンテナーを構成する扉部材の部分水平断面図である。
【図１９】図１９は、本発明の折り畳みコンテナーを構成するはね上げ側壁とロック部材のロック状態を示す部分拡大斜視図である。
【図２０】図２０は、本発明の折り畳みコンテナーを構成するはね上げ側壁の開口部に扉部材が配設された状態の斜視図である。
【符号の説明】
【００６３】
Ｄ・・・・・・・・扉部材
ｄ７・・・・・・・内側垂直ガイドリブｄ７
ｄ８・・・・・・・外側垂直ガイドリブｄ８
ｄ９・・・・・・・係合フックｄ９
ｄ１９・・・・・・嵌合ブロック部材用嵌合凹部
ｄ２０・・・・・・嵌合突部用嵌合凹部
１・・・・・・・・上部フレーム
２・・・・・・・・底部
３・・・・・・・・はね上げ側壁
３’・・・・・・・開口部
３ｅ・・・・・・・補強枠
３ｆ・・・・・・・嵌合ブロック部材
３ｇ・・・・・・・係止枠部材
３ｈ・・・・・・・嵌合突部
４’・・・・・・・上部分割側壁
４”・・・・・・・下部分割側壁
５・・・・・・・・ロック部材
【図１】
2008001368.tif 000003
【図２】
2008001368.tif 000004
【図３】
2008001368.tif 000005
【図４】
2008001368.tif 000006
【図５】
2008001368.tif 000007
【図６】
2008001368.tif 000008
【図７】
2008001368.tif 000009
【図８】
2008001368.tif 000010
【図９】
2008001368.tif 000011
【図１０】
2008001368.tif 000012
【図１１】
2008001368.tif 000013
【図１２】
2008001368.tif 000014
【図１３】
2008001368.tif 000015
【図１４】
2008001368.tif 000016
【図１５】
2008001368.tif 000017
【図１６】
2008001368.tif 000018
【図１７】
2008001368.tif 000019
【図１８】
2008001368.tif 000020
【図１９】
2008001368.tif 000021
【図２０】
2008001368.tif 000022